(57)【要約】【課題】  複数のモード、例えば、カメラ撮影[テープ]、カメラ撮影[メモリ]、再生といったモードが存在する場合に、これらのモードの選択を画面上に映し出して選択するようにしたことで、ユーザーの好みのモードを数にこだわることなく選択できるようにしたモード切替制御方法及び電子機器を提供する。【解決手段】  モード切替制御方法は、モード切替スイッチの操作により、所定のモードに切り替える機能を有する電子機器において、ユーザー自身が使用するモードと使用しないモードとを選択してカスタマイズすることである。【選択図】  図１
2005072773.tif 000002
【特許請求の範囲】
【請求項１】
モード切替スイッチの操作により、所定のモードに切り替える機能を有する電子機器であって、
ユーザー自身が使用するモードと使用しないモードとを選択してカスタマイズすることを特徴とするモード切替制御方法。
【請求項２】
前記ユーザー自身が使用するモードと使用しないモードとを選択してカスタマイズすることは、所定の画面上にモードを映し出し、該映し出したモードを選択することによりカスタマイズすることである請求項１に記載のモード切替制御方法。
【請求項３】
前記画面上に映し出したモードの選択は、画面に備えてあるタッチパネルの操作により行うことを特徴とする請求項２に記載のモード切替制御方法。
【請求項４】
前記カスタマイズされたモードは、前記モード切替スイッチの操作によって遷移するようにしたことを特徴とする請求項１に記載のモード切替制御方法。
【請求項５】
前記モード切替スイッチは、電源スイッチと兼ねたタクトスイッチで形成したことを特徴とする請求項１に記載のモード切替制御方法。
【請求項６】
電源スイッチと、モード切替スイッチの操作により、所定のモードに切り替えるモード切替手段とを備えた電子機器であって、
前記モード切替手段は、ユーザー自身が使用するモードと使用しないモードとを選択してカスタマイズすることを特徴とする電子機器。
【請求項７】
前記モード切替手段は、所定の画面上にモードを映し出し、該映し出したモードを選択することによりカスタマイズすることである請求項６に記載の電子機器。
【請求項８】
前記画面上に映し出したモードの選択は、画面に備えてあるタッチパネルの操作により行うことを特徴とする請求項７に記載の電子機器。
【請求項９】
前記カスタマイズされたモードは、前記モード切替スイッチの操作によって遷移するようにしたことを特徴とする請求項６に記載の電子機器。
【請求項１０】
前記モード切替スイッチは、電源スイッチと兼ねたタクトスイッチで形成したことを特徴とする請求項６に記載の電子機器。
【発明の詳細な説明】
【技術分野】
【０００１】
本発明は、モード切替制御方法及び電子機器に関するものであり、特にユーザーの好みに応じて使用可能なモードを選択することを可能ならしめるモード切替制御方法及び電子機器に関する。
【背景技術】
【０００２】
近年、ビデオカメラ、デジタルスチルカメラといった電子機器には、様々な機能が盛り込まれ、又はその機能の数は年々増していく傾向にある。
【０００３】
特に、ビデオカメラにおいては、従来記録媒体としてはビデオテープだけであったものが、半導体メモリカード等も静止画や動画を記録及び再生できることが常となり、更にこれらの記録情報をネットワーク、例えば、インターネット等を介して外部とやりとりする状況が生まれてきている。
【０００４】
機能を増すことは、購入した１つの機器で多種多様な活用ができるというユーザー希望を満たす反面、複雑になる操作性にユーザーが戸惑ったり、ユーザーが本来実現したかったこととは違う動作を機器に行わせてしまうことも引き起こしている。
例えば、ビデオテープに記録したかったのに、誤って半導体メモリカードに記録してしまうといったことである。
このような背景の中で、ユーザー自身が使いたいように機器の操作性をカスタマイズし、敢えて機能を制限したいというニーズも強くなってきている。各種媒体への記録・再生といった複数のモードのうち、使いたいモードを予め選択することや、電源オン時にどのモードに入り、希望する操作の準備を整える為の時間短縮及び操作の簡易さを増すといったことが重要視されはじめている。
【０００５】
そこで、従来におけるモード切替のカスタマイズについて説明すると、ユーザーにモードを選択させる方法として、例えば、回転レバー式スイッチやスライドスイッチなどの機械的スイッチを利用したモード選択が多く使用されている。具体的に示すと、回転レバー式スイッチの物理的な位置とモードは１対１に対応しているため、ある１つのモードになるのを禁止する場合には、ユーザーが選択可能な機械的ストッパによって特定のモードに物理的にならないようにする方法が実現されている。
例えば、図１０〜図１３に示すビデオカメラ１１１に搭載してある回転レバー式スイッチ１１２において、ユーザーは回転レバーを４つのモード、電源ＯＦＦ、再生・ＶＴＲ、カメラ撮影[テープ]、カメラ撮影[メモリ]のいずれかの位置に配置することで使うモードの選択を行うが、機械式ストッパ１１３の設定により、カメラ撮影[メモリ]に切り替わらないようにすることも出来る。
図１０は回転レバー１１２ａが電源ＯＦＦの位置を示しており、図１１はストッパ１１３を解除した状態で回転レバー１１２ａがカメラ撮影[テープ]の位置に回した状態を示したもので、この状態ではストッパ１１３が解除された状態であるため、回転レバー１１２ａがカメラ撮影[メモリ]の位置に誤って回してしまう場合がある。図１２はストッパ１１３が解除した状態で回転レバー１１２ａがカメラ撮影[メモリ]の位置に回した状態を示したもので、故意的にこの位置に回すか誤って最後の回す位置まで回すとこのカメラ撮影[メモリ]の位置になる。
図１３はストッパ１１３を掛けた状態にして、回転レバー１１２ａを回してカメラ撮影[テープ]の位置にしたものを示したもので、ストッパ１１３によりカメラ撮影[メモリ]位置には回転レバー１１２ａが入ることはなく、記録媒体を誤って選択することを防止できる。
【０００６】
次に、電源投入時に最初に入るモードのカスタマイズについて説明する。
先ず、電源をオフからオン時に切り替えた際に最初に立ち上がるモードのカスタマイズについては、ビデオカメラの回転レバー式スイッチやスライドスイッチでは実現されていなかった。
別の例としては、パソコン等で良く見かけられる様に、機器本体やキーボード部分に、目的のアプリケーションソフトウェアに割り当てた専用ボタンを設けておき、そのボタンを押せば電源オン、そしてＯＳの起動と共に希望のアプリケーションソフトウェアの起動までが連続的に行われる手法が用いられている。
例えば、キーボード上の１つの特定のボタンを押すだけで、電源オフの状態からブラウザ閲覧ソフトウェアが立ち上がって閲覧の準備が整うところまでユーザーには動作を求めないといった手法がみられる。
【特許文献１】特開平８−２６１６５３号公報（第３頁  第３図）
【発明の開示】
【発明が解決しようとする課題】
【０００７】
しかしながら、従来技術で説明した回転レバー式スイッチに機械的ストッパを設けてモードを選択する手法においては、ユーザーによるカスタマイズが容易とは言えず、例えば、端に配置した１つのモードを禁止することは容易だが、複数のモードを禁止することは難しい点や、モードの順番をユーザーが意図する順番に入れ替えることが出来ないなど、ユーザー意図の反映、操作のし易さ、外観形状、部品実装面積、部品コスト、部品耐久性といった面で、優れているとはいえず、更なる改善を求める必要がある。
又、ビデオカメラで用いられるスイッチの中でも、モード切替をトグルスイッチで行うケースが出てきているが、このスイッチの場合には機械的ストッパを用いる方法では対応できないという問題がある。
【０００８】
また、専用ボタンを用いてカスタマイズする手法であると、いくつかのモードに対応させようとする専用ボタンを多く設けることになるため、機器のコストアップや機器の小型化の妨げにつながり、またユーザーから見ても、スイッチの多さに却って操作の容易性を低減させる面も生まれるといった問題がある。
特に、ビデオカメラでは、テープ記録、半導体メモリカード記録、テープ再生、メモリ再生、ネットワーク接続等の多数の機能と、小型軽量といった機器の特徴の双方を実現するためには機械的なボタンの数を極端に増すことは望ましくない。
従って、電源オフからオンしたときに、最初に立ち上がるモードの選択について、ユーザーが任意に設定してカスタマイズできる手法に解決しなければならない課題を有する。
【課題を解決するための手段】
【０００９】
上記課題を解決するために、本願発明のモード切替制御方法及び電子機器は、次に示す構成にすることである。
【００１０】
（１）モード切替制御方法は、モード切替スイッチの操作により、所定のモードに切り替える機能を有する電子機器において、ユーザー自身が使用するモードと使用しないモードとを選択してカスタマイズすることである。
（２）前記ユーザー自身が使用するモードと使用しないモードとを選択してカスタマイズすることは、所定の画面上にモードを映し出し、該映し出したモードを選択することによりカスタマイズすることである（１）に記載のモード切替制御方法。
（３）前記画面上に映し出したモードの選択は、画面に備えてあるタッチパネルの操作により行うことを特徴とする（２）に記載のモード切替制御方法。
（４）前記カスタマイズされたモードは、前記モード切替スイッチの操作によって遷移するようにしたことを特徴とする（１）に記載のモード切替制御方法。
（５）前記モード切替スイッチは、電源スイッチと兼ねたタクトスイッチで形成したことを特徴とする（１）に記載のモード切替制御方法。
【００１１】
（６）電子機器は、電源スイッチと、モード切替スイッチの操作により、所定のモードに切り替えるモード切替手段とを備えた電子機器であって、前記モード切替手段は、ユーザー自身が使用するモードと使用しないモードとを選択してカスタマイズすることである。
（７）前記モード切替手段は、所定の画面上にモードを映し出し、該映し出したモードを選択することによりカスタマイズすることである（６）に記載の電子機器。
（８）前記画面上に映し出したモードの選択は、画面に備えてあるタッチパネルの操作により行うことを特徴とする（７）に記載の電子機器。
（９）前記カスタマイズされたモードは、前記モード切替スイッチの操作によって遷移するようにしたことを特徴とする（６）に記載の電子機器。
（１０）前記モード切替スイッチは、電源スイッチと兼ねたタクトスイッチで形成したことを特徴とする（６）に記載の電子機器。
【発明の効果】
【００１２】
本発明により、複数の機能を設定する電源スイッチを含めたモード切替スイッチにおいて、予め所望のモードのみを画面上に映し出して選択できるようにしたことで、モード切替スイッチ側の操作感を変えることなく、ユーザーが希望するモードだけへ遷移し、希望しないモードへは遷移しないという設定が可能になり、端に配置したモードに限らず、内側のモードであってもそのモードを禁止するといったことが容易に行うことができる。
又、モードの順番をユーザーの好みに応じて変えることが可能となり、複数のモードを禁止することも容易に設定することができる。
更に、機械的なストッパを設けないことにより、そのぶんの機構的なものを削除できるため、コストダウン、部品実装面積の低減を計り、且つ機械的ストッパを設けないことで機械的耐久性の問題がなくなり、機械的ストッパに比較して誤操作が少なくなるといった効果がある。
【発明を実施するための最良の形態】
【００１３】
本願発明のモード切替制御方法及び電子機器の実施形態について、図面を参照して説明する。
【実施例１】
【００１４】
本発明のモード切替制御方法は、タクト式のモード切替スイッチと、ユーザーが機能選択画面において設定する行為とを組み合わせることによって、使用モード及びモード遷移のカスタマイズを可能ならしめるものである。
又、電源オフからオンしたときに最初に立ち上がるモードの選択についても、タクト式のモード切替スイッチと、ユーザーが機能選択画面において設定する行為を組み合わせることによって、カスタマイズを可能ならしめるものである。
【００１５】
上記のモード切替制御方法を具現化できる電子機器のハードウェアの構成について、図１を参照して説明する。
【００１６】
実施例におけるモード切替制御方法を具現化できる電子機器、例えば、カメラ１１は、図１に示すように、機器本体に電源を供給する電源スイッチ１２、電源スイッチ１２に連動しモードを切り替えるタクトスイッチからなるモード切替スイッチ１３、画面上に形成されたタッチパネルである多項目設定スイッチ１４、電源スイッチ１２のオン／オフを制御する電源オン／オフ制御部１６、カスタマイズするモードを切替制御するモード切替制御部１６、画面上にモードを表示等するキャラクタジェネレータ／ＧＵＩ表示部１７、ＬＥＤの点灯を制御するＬＥＤ制御部１８を備え、それぞれがコントローラー１９により制御されるようになっており、その他の撮像装置等は省略されている。
【００１７】
このような構成からなる電子機器であるカメラ１１において、ユーザーは電源スイッチ１２、モード切替スイッチ１３、そしてカスタマイズ項目を設定するための項目設定スイッチ１４を操作して、モードのカスタマイズを行う。
実際の電源スイッチ１２とモード切替スイッチ１３は、図２〜図４に示すように、電源「切」の位置、電源「入」の位置、「モード切替実行」の位置からなり、見かけ上は１つの機械的スイッチとすることができる。
図２は、電源スイッチ摘み１２ａが電源「切」の位置の場合を示したもので、この位置では要するに電源がオフの状態である。
図３は、電源スイッチ摘み１２ａが電源「入」の位置の場合を示したもので、この位置で電源がカメラに供給される。
図４は、電源スイッチ摘み１２ａが電源「入」の位置から更に下方向に動かすことで、モードが切り替わった後に、電源スイッチ摘み１２ａは電源「入」の位置に自動的に跳ね返って戻る。
【００１８】
又、現在のモードをユーザーに示すための表示機構として、例えば、図５に示すＬＥＤを用いることができる。このＬＥＤはカメラ撮影[テープ]、カメラ撮影[メモリ]、再生・ＶＴＲ、の３通りのＬＥＤの組み合わせからなり、何れかのＬＥＤが点灯していれば、そのモードであることが一目で解かる。
【００１９】
項目設定スイッチ１４としては、図６及び図７に示すように、画面上に備えたタッチパネルスイッチを使うことができる。
【００２０】
いま、モードとして、「カメラ撮影[テープ]」、「カメラ撮影[メモリ]、「再生・ＶＴＲ」の３通りがある場合において、これらを組み合わせてカスタマイズする手法について、モード切替時における設定画面での設定と、電源オン時における設定画面での設定の２通りの制御方法について、図面を参照して説明する。
【００２１】
先ず、モード切替時における設定画面での設定について、図８に示すフローチャートに基づいて、図６に示す設定画面を参照して説明する。
図１に示すモード切替スイッチ１３をオンしてモード変化要求があると、バックアップしていた現在のモードを読み込む（ステップＳＴ１１、ＳＴ１２）。このモードを読み込むのは、図１に示すモード切替制御部１６をコントローラー１９が制御することで達成できる。
【００２２】
次に、モード変化時用テーブルで現在のモードにポインタをセットし、参照ボタンを１つ進める（ステップＳＴ１３、ＳＴ１４）。
そして、次に、このモードがユーザーに使用許可されているかを確認する（ステップＳＴ１５）。
この使用許可されているかどうかは、図６に示すように、タッチパネルスイッチを備えた設定画面上において、各モードにレ点があるかどうかで解かるようになっている。実施例の場合は、「カメラ撮影[テープ]」、「カメラ撮影[メモリ]の両者のモードが許可され、「再生・ＶＴＲ」が禁止されている状態を示す。従って、カスタマイズはカメラ撮影ができ、再生ができないようにカスタマイズされていることになる。
次に、このカスタマイズされているモードを変更するときにはレ点の箇所をタッチすることでレ点が消え、カスタマイズから外れる。同様に、レ点がないものに対しては、レ点をつける箇所をタッチすることでカスタマイズできる。
【００２３】
以上の如くしてカスタマイズが終了するとこのモードに遷移し、モードのバックアップを行いカスタマイズが終了する（ステップＳＴ１６、ＳＴ１７）。
【００２４】
次に電源オン時に設定したモードに遷移する手法について、図９に示すフローチャートに基づいて、図７を参照して以下説明する。
【００２５】
図７は電源スイッチ１２が「切」から「入」に切り替えたときに、最初に入るモードを設定するための項目設定スイッチ１４をタッチパネルとして機能させた設定画面を示したもので、実施例の場合は、３つのモードのうち、電源オン時は、必ずカメラ撮影[テープ]モードになるように設定してある。
【００２６】
電源オン要求があった場合には、バックアップしていた電源オン時のモード指定変数を読み込む（ステップＳＴ２１、ＳＴ２２）。
【００２７】
次に、読み込んだモード指定変数から指定のモードに入る（ステップＳＴ２３）。
【００２８】
このようにして電源オン時においては、予め設定されているカスタマイズされた状態が画面上に表示され、そのカスタマイズされた状態を変更したときには、画面上のタッチパネルを操作することで、ユーザー好みのモードに設定変更することができるのである。
【００２９】
尚、実施例においては、カメラを代表例にとり、そのモードのカメラ撮影[テープ]、カメラ撮影[メモリ]、再生、の３通りについてカスタマイズするようにしたが、これに限定されることなく、様々な機器が有するモードに適用できる。例えば、機器のモードが、インターネット、印刷、ＴＶ受信、外部接続、等のモードがある場合には、これらのうち所望のものを選択してカスタマイズすればよい。
【産業上の利用可能性】
【００３０】
モードのカスタマイズを画面上に表示させて行うようにしたことで、モード切替スイッチの形態にこだわることなく好みのモードの選択をしてカスタマイズできるため、複数のモードを禁止したり、電源オン時に入るモードをユーザーが決めたりすることが可能になる。
又、機械的ストッパを設けないことによりコストダウン、部品実装面積の低減を図ることができ、更に機械的ストッパを利用しないことで機械的耐久性を考慮する必要がなくなり、誤操作を少なくすることが可能となる。
【図面の簡単な説明】
【００３１】
【図１】本発明の電源・モード切替スイッチのカスタマイズ機能を備えた電子機器を略示的に示したブロック図である。
【図２】同、電源・モード切替スイッチのうち、電源「切」の位置に摘みがある場合の構成を示した説明図である。
【図３】同、電源・モード切替スイッチのうち、電源「入」の位置に摘みがある場合の構成を示した説明図である。
【図４】同、電源・モード切替スイッチのうち、「モード切替実行」の位置に摘みがある場合の構成を示した説明図である。
【図５】同、モード表示用のＬＥＤを示した説明図である。
【図６】同、モード切替時におけるタッチパネルスイッチを備えた設定画面を示した説明図である。
【図７】同、電源オン時におけるタッチパネルスイッチを備えた設定画面を示した説明図である。
【図８】同、モード切替時に設定したモードだけに遷移する手法を示したフローチャートである。
【図９】同、電源オン時に設定したモードだけに遷移する手法を示したフローチャートである。
【図１０】従来技術における回転レバー式スイッチにおいて、電源オフ状態を示した説明図である。
【図１１】従来技術における回転レバー式スイッチにおいて、モードはカメラ撮影[テープ]位置で、機械式ストッパを解除した状態を示した説明図である。
【図１２】従来技術における回転レバー式スイッチにおいて、モードはカメラ撮影[メモリ]位置で、機械式ストッパを解除した状態を示した説明図である。
【図１３】従来技術における回転レバー式スイッチにおいて、モードはカメラ撮影[テープ]位置で、機械式ストッパを掛けた状態を示した説明図である。
【符号の説明】
【００３２】
１１；カメラ、１２；電源スイッチ、１２ａ；電源スイッチ摘み、１３；モード切替スイッチ、１４；各種項目設定スイッチ、１５；電源オン／オフ制御部、１６；モード切替制御部、１７；キャラクタジェネレータ／ＧＵＩ表示部、１８；ＬＥＤ制御部。
【図１】
2005072773.tif 000003
【図２】
2005072773.tif 000004
【図３】
2005072773.tif 000005
【図４】
2005072773.tif 000006
【図５】
2005072773.tif 000007
【図６】
2005072773.tif 000008
【図７】
2005072773.tif 000009
【図８】
2005072773.tif 000010
【図９】
2005072773.tif 000011
【図１０】
2005072773.tif 000012
【図１１】
2005072773.tif 000013
【図１２】
2005072773.tif 000014
【図１３】
2005072773.tif 000015